(57)【要約】      （修正有）【課題】収納物が抜け出すことを防止したクリアファイルを提供する。【解決手段】隣り合う閉じられた２辺３，４と隣り合う開放された２辺とにより方形に形成された樹脂シート１，２の間にシート状の収納物Ｐを保持するクリアファイルにおいて、開放された一辺の近傍に樹脂シート２に切り込みを入れて形成したストッパ６を備える。当該ストッパ６は、先端が開放された一辺に対向する閉じられた辺３の側を向くと共に、根本には切り込みを入れずに樹脂シート２と連続する。クリアファイル１０に所定の定型用紙Ｐを収納した場合に、当該定型用紙Ｐの一辺が樹脂シート２とストッパ６との間に挟まれる位置に、ストッパ６を配置する。【選択図】図２
0003183768.tif 000002
【実用新案登録請求の範囲】
【請求項１】
隣り合う閉じられた２辺と隣り合う開放された２辺とにより方形に形成された樹脂シートの間にシート状の収納物を保持するクリアファイルにおいて、
前記開放された一辺の近傍に前記樹脂シートに切り込みを入れて形成したストッパを備え、
当該ストッパは、先端が前記開放された一辺に対向する閉じられた辺の側を向くと共に、根本には切り込みを入れずに前記樹脂シートと連続し、
前記クリアファイルに所定の定型用紙を収納した場合に、当該定型用紙の一辺が前記樹脂シートと前記ストッパとの間に挟まれる位置に、前記ストッパを配置した、クリアファイル。
【考案の詳細な説明】
【技術分野】
【０００１】
本考案は、シート状の収納物を保持するクリアファイルに関する。
【背景技術】
【０００２】
特許文献１が示すように、樹脂シートの間に書類等のシート状の収納物を保持するクリアファイルが知られている。当該クリアファイルは、方形の樹脂シートを重ねて成り、当該樹脂シートの隣り合う２辺が閉塞され、残る２辺は開放されている。当該開放部から樹脂シートの間に収納物を収納し、当該収納物を樹脂シートの間に保持するようになっている。
しかし、持ち運ぶ間などに、樹脂シートの間に保持された収納物がクリアファイルから抜け出してしまう場合があった。
【先行技術文献】
【特許文献】
【０００３】
【特許文献１】登録実用新案第３１６０１６１号公報
【考案の概要】
【考案が解決しようとする課題】
【０００４】
本考案は、かかる従来例の有する不都合を改善し、特に、収納物が抜け出すことを防止したクリアファイルを提供することを課題とする。
【課題を解決するための手段】
【０００５】
この課題を解決するため、本考案は、次のように構成される。即ち、隣り合う閉じられた２辺と隣り合う開放された２辺とにより方形に形成された樹脂シートの間にシート状の収納物を保持するクリアファイルにおいて、前記開放された一辺の近傍に前記樹脂シートに切り込みを入れて形成したストッパを備える。当該ストッパは、先端が前記開放された一辺に対向する閉じられた辺の側を向くと共に、根本には切り込みを入れずに前記樹脂シートと連続する。前記クリアファイルに所定の定型用紙を収納した場合に、当該定型用紙の一辺が前記樹脂シートと前記ストッパとの間に挟まれる位置に、前記ストッパを配置する。
これによると、収納物を樹脂シートとストッパとの間に挟むことにより保持することができる。
【考案の効果】
【０００６】
よって本考案によれば、収納物が抜け出すことを防止したクリアファイルを提供することができる。
【図面の簡単な説明】
【０００７】
【図１】本考案の一実施形態を示す構成図。
【図２】図１に示す実施形態の構成図。
【図３】図２に示すストッパの拡大図。
【図４】図３に示すストッパの使用状態図。
【図５】図３に示すストッパの使用状態図。
【考案を実施するための形態】
【０００８】
以下、本考案の実施形態を説明する。本実施形態において、クリアファイル１０は、表シート１と、裏シート２とを重ねることによって形成されている。表シート１と裏シート２とは、１枚の方形の樹脂シートを折り畳んで重ねることにより形成される。１枚の樹脂シートを折り辺３の位置で折り畳み、当該折り辺３に隣り合う一辺（底辺）４を溶着することにより、表シート１と裏シート２とから成る袋状のクリアファイル１０が形成される。クリアファイル１０は、長方形に形成され、その長辺と短辺とは、それぞれ、定型用紙を収納するのに好適な幅と高さに設定されている。
表シート１の開放された長辺のおよそ４分の３の高さに、台形状の切欠５が設けられている。また、裏シート２の解放された長辺のおよそ４分の３の高さ、即ち、表シート１に設けられた切欠５に対応する位置には、台形状の切り込みにより台形状のストッパ６が形成されている。ストッパ６の台形状の下底部分（根本）には切り込みをせず、裏シート２に繋がっている。ストッパ６の台形状の上底側（先端）はクリアファイル１０の折り辺３の方向を向いている。切欠５の台形状の上底の位置と、ストッパ６を形成する台形状の切り込みの下底の位置とが一致するように、切欠５とストッパ６とがそれぞれ配置されている。
【０００９】
ストッパ６は、図２に示すように、切り込み部分に定型用紙Ｐの一辺を挿し込み、定型用紙Ｐの一辺を裏シート２とストッパ６との間に挟むことによって、定型用紙Ｐがクリアファイル１０から抜け出ることを防止する。
【００１０】
図３は、ストッパ６の拡大図である。ストッパ６は、裏シート２に形成された切り込み７により台形状に形成されている。ストッパ６が形成される位置は、クリアファイル１０に所定の定型用紙Ｐを収納した際に、当該定型用紙Ｐの一辺を裏シート２とストッパ６との間に挟み込むことができる位置とする。ストッパ６の台形状の下底の位置（根本）には、裏シート１の長辺と平行な折り線ｆ０が刻まれている。また、ストッパ６の台形状の下底位置から上底側に向かって、折り線ｆ０と平行な２本の折り線ｆ１，ｆ２が、刻まれている。折り線ｆ１は、折り線ｆ０から幾分の間隔ｄを隔てて刻まれている。また、折り線ｆ２は、折り線ｆ１から間隔ｄを隔てて刻まれている。即ち、ストッパ６の根本の折り線ｆ０から折り線ｆ１までの間隔と、折り線ｆ１から折り線ｆ２までの間隔とが等間隔になっている。
【００１１】
図４は、裏シート２をシートの面に沿って見た状態を示している。クリアファイル１０に収納する用紙にほとんど厚みがない場合、ストッパ６に形成された折り線ｆ０〜ｆ２を折る必要はないが、図４（ａ）に示すように、収納する用紙にある程度の厚み（厚みｄ程度）がある場合、折り線ｆ０とｆ１とを表シート１の側にクランクに折ることによって、裏シート２とストッパ６との間にある程度の隙間を作ることができるので、ある程度厚みのある用紙でも無理なくストッパ６に保持することができる。また、図４（ｂ）に示すように、収納する用紙の厚みが更に厚い（厚み２ｄ程度）場合は、折り線ｆ０とｆ２とを表シート１の側にクランクに折ることによって、裏シート２とストッパ６との間に更に広い隙間を作ることができるので、比較的厚い用紙でも無理なくストッパ６に保持することができる。
【００１２】
図２では、裏シート２とストッパ６との間に用紙Ｐだけを保持するようにストッパ６を用いているが、図５に示すように、裏シート２とストッパ６との間に用紙Ｐと表シート１と一緒に挟むようにストッパ６を用いてもよい。この場合、クリアファイル１０の開放部が開いてしまうことを防止することができる。裏シート２に形成したストッパ６の位置と、表シート１に形成した切欠５の位置とを合わせることにより、このようなストッパ６の使用が可能になっている。
【００１３】
以上説明した本実施形態によれば、収納物を裏シート２とストッパ６との間に挟むことにより保持することができるので、クリアファイルから収納物が抜け出すことを防止することができる。
【００１４】
ここで、本考案は、上記実施形態に限られない。ストッパ６の形状は、台形状に限らず、円形状やデザインされた輪郭線の切り込みにより形成してもよい。ストッパ６の位置は、クリアファイルの４分の３の高さに限らず、２分の１の高さなど、異なる高さに設けられていてもよい。ストッパ６は、表シート１に形成してもよい。ストッパ６を複数設けてもよい。ストッパ６をクリアファイルの開放短辺側に設けてもよい。
【符号の説明】
【００１５】
１  表シート
２  裏シート
３  折り辺
４  底辺
５  切欠
６  ストッパ
７  切り込み
１０  クリアファイル
【図１】
0003183768.tif 000003
【図２】
0003183768.tif 000004
【図３】
0003183768.tif 000005
【図４】
0003183768.tif 000006
【図５】
0003183768.tif 000007